(57)【特許請求の範囲】
【請求項１】
それぞれ上下両端側に長ほぞ差し込み栓が延設された複数の間柱を横方向に間隔をおいて並置し、該複数の間柱の上下両端側の長ほぞ差込み栓を除いた部分の端部の間にそれぞれ断熱材の受材を渡してパネル骨組を形成し、該パネル骨組の室外側および室内側の両面側において側部にダボ穴が形成され長さが前記パネル骨組の横方向の幅と同等である複数の壁板を前記パネル骨組の左右両側の該間柱に横架して複数のビスにより該間柱に取付け、複数の該壁板を前記上下両端側の長ほぞ差し込み栓を除く間柱の部分の上下方向にわたって隣接して配設するとともに隣接する該壁板の側部を相互にダボで接続してなるパネルと、該パネルの左右両側部をそれぞれ少なくとも下端側に長ほぞ差し込み栓が延設された第１および第２の柱により当接して保持して構成したことを特徴とするパネルによる木造耐力壁。
【請求項２】
前記第１および第２の柱の間で、前記パネルの上側に横架配設された梁と前記パネルの下側に横架配設された土台との間に前記パネルを保持し、前記梁および土台と、それらにそれぞれ隣接する前記パネルの壁板とをダボで接続したことを特徴とする請求項１記載のパネルによる木造耐力壁。
【請求項３】
前記土台に前記間柱の長ほぞ差し込み栓を差し込むための間柱用ほぞ穴と、前記第１および第２の柱の長ほぞ差し込み栓を差し込むための柱用ほぞ穴とを設け、前記複数の間柱と前記第１および第２の柱との長ほぞ差し込み栓をそれぞれのほぞ穴に差し込んで固定するための込栓を設けたことを特徴とする請求項２記載のパネルによる木造耐力壁。
【請求項４】
前記パネルの間柱の両端部にそれぞれ長ほぞ差し込み栓が設けられ、前記パネルの骨組の両面側に相隣接する壁板を横架する際に断熱材を外側及び内側の両壁板と前記パネルの骨組との間に形成される空間に収納して前記パネルを構成したことを特徴とする請求項１記載のパネルによる木造耐力壁。
【請求項５】
前記パネルの壁板の幅が小さい場合に、該壁板を相互に隣接させてダボで接続する際に、該ダボの取付け位置が前記パネルの上下方向に千鳥型となるようにしたことを特徴とする請求項１ないし４のいずれかに記載のパネルによる木造耐力壁。
【請求項６】
前記パネルの壁板の幅が大きい場合に、該壁板を相互に隣接させてダボで接続する際に、該ダボの取付け位置が前記パネルの上下方向に一直線状にあるようにしたことを特徴とする請求項１ないし４のいずれかに記載のパネルによる木造耐力壁。
【請求項７】
前記木造耐力壁の室外側の面を覆うように外壁材を取付け、その際に該外壁材を前記パネルの外側の壁板面に直接、または胴縁を介して取付けるようにしたことを特徴とする請求項１〜６のいずれかに記載のパネルによる木造耐力壁。
【請求項８】
該外壁材がラスボード下地モルタル塗り、サイディングボード、板杉よりなる群の材質から選ばれたものであることを特徴とする７記載の内外壁板型パネル構法による木造耐力壁。
【請求項９】
前記木造耐力壁の室内側の面を覆うように内壁材を取付け、その際に内壁材を前記パネルの内側の壁板面に直接、または胴縁を介して取付けるようにしたことを特徴とする請求項１〜８のいずれかに記載のパネルによる木造耐力壁。
【請求項１０】
該内壁材が石膏ボード下地塗装仕上げまたは石膏ボード下地クロス貼りよりなるものであることを特徴とする請求項９記載のパネルによる木造耐力壁。
【請求項１１】
それぞれ上下両端側に長ほぞ差し込み栓が延設された複数の間柱を横方向に間隔をおいて並置し、該複数の間柱の上下両端側の長ほぞ差込み栓を除いた部分の端部の間にそれぞれ断熱材の受材を渡してパネル骨組を形成し、該パネル骨組の室外側および室内側の両面側において側部にダボ穴が形成され長さが前記パネル骨組みの横方向の幅と同等である複数の壁板を前記パネル骨組の左右両側の該間柱に横架して複数のビスにより該間柱に取付け、複数の該壁板を前記上下両端側の長ほぞ差し込み栓を除く間柱の部分の上下方向にわたって隣接して配設するとともに隣接する該壁板の側部を相互にダボで接続してなるパネルを吊り下げた状態で降下させて、土台に刻設された間柱用ほぞ穴に前記パネルの間柱の長ほぞ差し込み栓を差し込んだ後、予め該土台に刻設された柱用ほぞ穴上に柱受け板を載置しておき、前記パネルの左右両側部の上方からそれぞれ凹部状の溝が長手方向に形成されるとともにそれぞれ少なくとも下端側に長ほぞ差し込み栓が延設された第１および第２の柱を前記パネルの左右両側の間柱に沿わせながら降下させ、一旦前記第１および第２の柱を前記柱受け板上に載置させた後、前記第１柱および第２の柱のいずれか一方の上方部のみを前記間柱から離間する方向に傾転させた状態で梁を保持させ、ついで前記傾転した柱を起立させて該第１および第２の柱間に梁を張架するようにしたことを特徴とするパネルによる木造耐力壁の組立方法。
【請求項１２】
前記第１および第２の柱の間に前記パネルを取付ける際に、前記パネルの間柱を前記第１および第２の柱に当接して取付けたことを特徴とする請求項１１記載のパネルによる木造耐力壁の組立方法。
【発明の詳細な説明】
【技術分野】
【０００１】
本発明は、パネルによる木造耐力壁およびその組立方法に関し、特に、施工性と家屋の水平外力に対する耐力性に優れたパネルによる木造耐力壁およびその組立方法に関するものである。
【背景技術】
【０００２】
一般に、２本の柱材を、平行な２本の梁材の間に所定の間隔をおいて立設し、この柱材の対向する面板取付面に、それぞれ１または平行な２以上の該面板嵌め込み用縦スリット溝を長手方向に沿って設けるとともに、前記梁材の対向する面板取付面に、それぞれ１または平行な２以上の該面板嵌め込み用横スリット溝を長手方向に沿って設け、これらの縦スリット溝および横スリット溝内に、該面板の両側縁部ならびに上縁部、下縁部を嵌め入れて、壁体としたものがある（例えば、特許文献１）。
【０００３】
また、縦方向に配列した複数の桟木に対し、多数の木板を横方向に配列して成るパネルを基本として、その木板に所定の位置に所定の深さの桟木嵌入の溝を突いて接合させるようにしたものがある（例えば、特許文献２）。
【０００４】
さらに、一般的な木造家屋では、一本の筋かいまたはたすき掛け筋かいを用いて剪断抵抗を高めた剛性の高い耐力壁が採用されているが、前記一本の筋かいの場合を例にとると、一方は土台と柱間と筋かいの三者を金具とボルトで止められている。また、他方の筋かいの梁と土台と間柱の三者は金具とボルトで止められている。
【０００５】
【特許文献１】特開平８−２４６５８０号公報
【特許文献２】特開２００３−５３７０９号公報
【発明の開示】
【発明が解決しようとする課題】
【０００６】
ところが、特許文献１にあっては、木板を室内側の仕上げ材としても活用できるパネルとなっているが、軸組とパネルの接合にはビスを用いるしかなく、間柱胴縁、下地材の取付けや断熱材の充填等の工程を考えると、さほど工期の短縮化が図れないといった問題があった。
【０００７】
また、特許文献２にあっては、柱材および横架材にスリット溝を設けて面材を嵌め込む工法では、剪断抵抗を飛躍的に強くするために接着剤を用いた剛性の高い合板が必要であり、その場合、接着剤を使用するためにシックハウス症候群で見られる健康上の問題点があった。
【０００８】
前記筋かいを用いた場合では、一方は土台と柱間と筋かいの三者を金具とボルトで止められているが、地震などで繰り返しによる横揺れなどによって筋かいに引張力と圧縮力とが交互に作用するが、特に、繰り返しの引張力が作用する場合は筋かいに穿設されたボルト穴が細長くなり、本来の筋かいの強度が極端に低下するといった問題があった。
【課題を解決するための手段】
【０００９】
このような課題を解決するために、第１の発明では、それぞれ上下両端側に長ほぞ差し込み栓が延設された複数の間柱を横方向に間隔をおいて並置し、該複数の間柱の上下両端側の長ほぞ差込み栓を除いた部分の端部の間にそれぞれ断熱材の受材を渡してパネル骨組を形成し、該パネル骨組の室外側および室内側の両面側において側部にダボ穴が形成され長さが前記パネル骨組の横方向の幅と同等である複数の壁板を前記パネル骨組の左右両側の該間柱に横架して複数のビスにより該間柱に取付け、複数の該壁板を前記上下両端側の長ほぞ差し込み栓を除く間柱の部分の上下方向にわたって隣接して配設するとともに隣接する該壁板の側部を相互にダボで接続してなるパネルと、該パネルの左右両側部をそれぞれ少なくとも下端側に長ほぞ差し込み栓が延設された第１および第２の柱により当接して保持して構成する。
【００１０】
第１の発明を主体とする第２の発明では、第１および第２の柱の間で、前記パネルの上側に横架配設された梁と前記パネルの下側に横架配設された土台との間に前記パネルを保持し、前記梁および土台と、それらにそれぞれ隣接する前記パネルの壁板とをダボで接続する。また、第２の発明を主体とする第３の発明では、土台に前記間柱の長ほぞ差し込み栓を差し込むための間柱用ほぞ穴と、前記第１および第２の柱の長ほぞ差し込み栓を差し込むための柱用ほぞ穴とを設け、前記複数の間柱と前記第１および第２の柱との長ほぞ差し込み栓をそれぞれのほぞ穴に差し込んで固定するための込栓を設ける。
【００１１】
第１の発明を主体とする第４の発明では、パネルの間柱の両端部にそれぞれ長ほぞ差し込み栓が設けられ、前記パネルの骨組の両面側に相隣接する壁板を横架する際に断熱材を外側及び内側の両壁板と前記パネルの骨組との間に形成される空間に収納して前記パネルを構成する。
【００１２】
第１〜４のいずれかの発明を主体とする第５の発明では、パネルの壁板の幅が小さい場合に、該壁板を相互に隣接させてダボで接続する際に、該ダボの取付け位置が前記パネルの上下方向に千鳥型となるようにする。さらに、第１〜４のいずれかの発明を主体とする第６の発明では、パネルの壁板の幅が大きい場合に、該壁板を相互に隣接させてダボで接続する際に、該ダボの取付け位置が前記パネルの上下方向に一直線状にあるようにする。
【００１３】
第１〜６のいずれかの発明を主体とする第７の発明では、木造耐力壁の室外側の面を覆うように外壁材を取付け、その際に該外壁材を前記パネルの外側の壁板面に直接、または胴縁を介して取付けるようにする。
【００１４】
第７の発明を主体とする第８の発明では、外壁材がラスボード下地モルタル塗り、サイディングボード、板杉よりなる群の材質から選ばれたものであるようにする。
【００１５】
第１〜８のいずれかの発明を主体とする第９の発明では、木造耐力壁の室内側の面を覆うように内壁材を取付け、その際に内壁材を前記パネルの内側の壁板面に直接、または胴縁を介して取付けるようにする。第９の発明を主体とする第１０の発明では、内壁材が石膏ボード下地塗装仕上げまたは石膏ボード下地クロス貼りよりなるものであるようにする。
【００１６】
第１１の発明では、それぞれ上下両端側に長ほぞ差し込み栓が延設された複数の間柱を横方向に間隔をおいて並置し、該複数の間柱の上下両端側の長ほぞ差込み栓を除いた部分の端部の間にそれぞれ断熱材の受材を渡してパネル骨組を形成し、該パネル骨組の室外側および室内側の両面側において側部にダボ穴が形成され長さが前記パネル骨組みの横方向の幅と同等である複数の壁板を前記パネル骨組の左右両側の該間柱に横架して複数のビスにより該間柱に取付け、複数の該壁板を前記上下両端側の長ほぞ差し込み栓を除く間柱の部分の上下方向にわたって隣接して配設するとともに隣接する該壁板の側部を相互にダボで接続してなるパネルを吊り下げた状態で降下させて、土台に刻設された間柱用ほぞ穴に前記パネルの間柱の長ほぞ差し込み栓を差し込んだ後、予め該土台に刻設された柱用ほぞ穴上に柱受け板を載置しておき、前記パネルの左右両側部の上方からそれぞれ凹部状の溝が長手方向に形成されるとともにそれぞれ少なくとも下端側に長ほぞ差し込み栓が延設された第１および第２の柱を前記パネルの左右両側の間柱に沿わせながら降下させ、一旦前記第１および第２の柱を前記柱受け板上に載置させた後、前記第１柱および第２の柱のいずれか一方の上方部のみを前記間柱から離間する方向に傾転させた状態で梁を保持させ、ついで前記傾転した柱を起立させて該第１および第２の柱間に梁を張架する。
【００１７】
第１１の発明を主体とする第１２の発明では、第１および第２の柱の間に前記パネルを取付ける際に、前記パネルの間柱を前記第１および第２の柱に当接して取付ける。
【発明の効果】
【００１８】
本発明では、
（１）第１および第２の柱にそれぞれ間柱を当接した状態の仕口として長ほぞ差し込み栓をほぞ穴に打ち込んで込栓で固定し、柱脚部の引き抜き力に対して柱２本分の耐力で抵抗させるため、従来の壁板工法と比較して非常に高い壁倍率が得られる。
【００１９】
（２）パネルを工場で大量生産しておき、木造建築現場に持ち込んで組み立てるため、工期の大幅な短縮が可能となる。
【００２０】
（３）相互に隣接する内側および外側の壁板同士はもちろんのこと、土台や梁などともダボで接続するため、剪断力に対する剛性が高まり、高い耐力壁を有する木造建築が得られる。
【００２１】
（４）柱とパネルの側端面側とが当接した状態で保持されているため、大きい水平力が作用しても高い剛性が得られる。
【発明を実施するための最良の形態】
【００２２】
次に、本発明に係るパネルによる木造耐力壁とその組立方法の実施形態について説明する。
【００２３】
図１は本発明の第１の実施の形態に係る複数の間柱を型枠材上に配列固定した概要の斜視図、図２は本発明の実施の形態に係る表側の壁板を繋ぎ合わせ中の斜視図、図３は断熱材を装着する場合の斜視図、図4は本発明の実施の形態に係る裏側の壁板（未修正）を繋ぎ合わせ中の斜視図、図５はパネルの斜視図、図6はパネルを土台に差し込む時の概要を示す斜視図、図７はパネルの両側に両柱を組み合わせ中の斜視図、図８は両柱の上部に梁を渡して組み立てた斜視図、図９は込栓を込栓穴に打ち込む時の斜視図、図１０はパネルに幅の狭い壁板を用いた場合の一部切断正面図、図１１はパネルに幅の広い壁板を用いた場合の一部切断正面図、図１２はパネルの室外側にのみ外壁材を張った場合の平面図、図１３はパネルの両柱を両側から覆うように外壁材と内壁材を張った場合の平面図、図１４は両柱を外壁材で覆うように取付けるとともに、室内側に位置する両柱は見えるように内壁材を取付けた場合の平面図、図１５はパネルを用いて建築する木造家屋の斜視図、図１６は各種試験体の正面図、図１７は本発明の第２の実施の形態に係るリフォーム前の主体となる外枠の斜視図、図１８は外枠内に間柱を取付けた場合の斜視図、図１９はリフォーム用の表側の壁板を繋ぎ合わせ中の斜視図、図２０は裏側の壁板を繋ぎ合わせ中の斜視図、図２１はパネルの取付けを完了した斜視図である。
【実施例１】
【００２４】
図１から図１４までは新築する場合のパネルによる木造耐力壁とその組立方法（未修正）の製作手順を示した図である。
【００２５】
実施例１のパネルの取付け構造は、木造建築物の外壁部分と内壁部分を併用する壁面として適用される。まず、図１は本発明の第１の実施の形態に係る複数の間柱を型枠材上に配列固定した概要の斜視図であり、符号１は正面が上方に向けて開口されたコ字状の型枠材を示す。該型枠材１の内法はパネル３の外形寸法に略等しい寸法を有するように構成されている。該型枠材１は離間した対向位置に一対の矩形形状の立板２（２ａ、２ｂ）が配設してあり、各立板２（２ａ、２ｂ）の上下両端部には水平方向に向けて配設された矩形形状の水平受け板７（７ａ、７ｂ）が配設されている。
【００２６】
パネルの骨組５は、間柱６（６ａ、６ｂ、６ｃ）と断熱材の受材４（４ａ、４ｂ）とで構成されている。３本の間柱６（６ａ、６ｂ、６ｃ）の上下端部には該断熱材の受材４（４ａ、４ｂ、４ｃ、４ｄ）が等間隔に橋渡されている。また間柱６の上下には、間柱６の外形寸法より小さくなるように刻設された凸状の長ほぞ差し込み栓８（８ａ、８ｂ、８ｃ、８ｄ、８ｅ、８ｆ）が設けられている。３本の間柱６のうち２本の間柱６ａ、６ｃを平板２ａ、２ｂの内側側面に当接するように配置し、残りの間柱６ｂは間柱６ａ、６ｃ間を等分割する位置に配設してある。そして、長ほぞ差し込み栓８（８ａ、８ｂ、８ｃ、８ｄ、８ｅ、８ｆ）が水平受け板７（７ａ、７ｂ）上に位置するように重畳載置した後、万力１０（１０ａ、１０ｂ、１０ｃ、１０ｄ、１０ｅ、１０ｆ）で長ほぞ差し込み栓８と水平受け板７を上下から両者を締め付けるように固定してある。
【００２７】
図２は本発明の実施の形態に係る表側の壁板を繋ぎ合わせ中の斜視図である。パネル３は主としてパネルの骨組５、表側（外側）の壁板１２および内側（裏側）の壁板１４とで構成される。表側の壁板１２をパネルの骨組５上に取付ける場合は、図２に示すように複数枚ある壁板１２のうち、第１壁板１２ａの下端面とパネルの骨組５の下端面Ｅとの端面合わせを行った後、間柱６（６ａ、６ｂ、６ｃ）に対してねじ付きビス１６で取付ける。表側に位置する複数の壁板１２毎に離間して４ケ所刻設されたダボ穴（図示略）に寸法が長さ４５ｍｍ×幅１５ｍｍ×深さ６０ｍｍの矩形形状のダボ１８の長さ１２０ｍｍのうち、６０ｍｍが埋設されており、埋設されていない６０ｍｍのダボ１８の部分は第１壁板１２ａと隣接する側の第２壁板１２ｂに刻設されたダボ穴（図示略）に挿入されて壁板１２同士を接合するようになっている。
【００２８】
第１壁板１２ａと第２壁板１２ｂをダボ１８を介して当接し取付けた後に、表側の壁板１２は間柱６に複数（例えば、各壁板１２毎に上下に２本）のビス１６で取付けられる。複数枚から構成される表側の壁板１２（ここでは、１２ａ〜１２ｎ）は、最後の壁板１２ｎの上端面とパネルの骨組５の上端面Ｆとが同一端面を有するように取付けるのである。ここで、壁板１２の仕様によって異なるが、一般には、次のものが使用される。
【００２９】
１．  壁板１２の長さ                  １，７００ｍｍ
２．  壁板１２の幅（広幅の場合）          ２２５ｍｍ
壁板１２の幅（狭幅の場合）          １３５ｍｍ
３．  壁板１２の厚み                        ３０ｍｍ
４．  壁板１２の材質                            杉材
因みに、間柱６（ａ、ｂ、ｃ）の寸法のうち、
間柱６（ａ、ｃ）の寸法は、              １５０×６０ｍｍ
間柱６（ｂ）の寸法は、                  １２０×６０ｍｍ
【００３０】
図３は断熱材を装着する場合の斜視図であり、パネルの骨組５に表側の壁板１２をビス１６で張り付けた後、一旦６つの万力１０（１０ａ、１０ｂ、１０ｃ、１０ｄ、１０ｅ、１０ｆ）を全て取り外し、パネル３を離間した対向位置に配設された立板２（２ａ、２ｂ）側に１８０度反転させ、表側の壁板１２が下側に位置するように配設する。図１と同様に長ほぞ差し込栓８の下側に壁板１２を取付けた分だけ厚くなるため厚み調整をする必要があり、水平受け板７（７ａ、７ｂ）と長ほぞ差し込み栓８との間に隙間ができるため、枕木２０（２０ａ、２０ｂ、２０ｃ、２０ｄ、２０ｅ、２０ｆ）を水平受け板７の上に重畳載置し、万力１０（１０ａ、１０ｂ、１０ｃ、１０ｄ、１０ｅ、１０ｆ）で長ほぞ差し込栓８（８ａ、８ｂ、８ｃ、８ｄ、８ｅ、８ｆ）と水平受け板７（７ａ、７ｂ）とを上下から締め付けて固定する。ついで間柱６（６ａ、６ｂ、６ｃ）と断熱材の受材４（４ａ、４ｂ、４ｃ、４ｄ）と表側の壁板１２で囲繞されるパネルの骨組５の凹部２４に間柱６（未修正）と同一の高さを有する断熱材２２を組み込むのである。
【００３１】
図４は本発明の実施の形態に係る裏側の壁板パネルを繋ぎ合わせ中の斜視図であり、裏側壁板１４をパネルの骨組５上に取付ける場合は、図４に示すように複数枚ある壁板１４（ここでは、１４ａ〜１４ｎ）のうち、第１壁板１４ａの下端面とパネルの骨組５の下端面Ｇとの端面合わせを行った後、間柱６（６ａ、６ｂ、６ｃ）に対してねじ付きビス１７で固定するのである。裏側に位置する複数の壁板１４毎に離間して４ケ所刻設されたダボ穴（図示略）に寸法が４５×１５ｍｍの矩形形状のダボ２６が６０ｍｍ埋設されており、埋設されていない残りのダボ２６の部分は第１壁板１４ａに位置する側の第２壁板１２ｂに刻設されたダボ穴に挿入されて壁板１２同士を接合するようになっている。
【００３２】
第１壁板１４ａと第２壁板１４ｂをダボ２６を介して当接し取付けた後、第２壁板１４ｂは間柱６に複数（各間柱６毎に２本）のビス１７で取付けられる。複数枚から構成される裏側の壁板１４のうち、最後の壁板１４ｎの上端面とパネルの骨組５の端面Ｈとが同一端面を有するように取付けるのである。ここで、ビス１７の大きさは裏側の壁板１４の仕様によって異なるが、一般には、表側の壁板１２の寸法のものと同様の仕様寸法のもの、すなわち、少なくとも使用される裏側の壁板１４の厚み約３０ｍｍの倍程度の長さのビス１７が必要である。
【００３３】
図５はパネルの斜視図であり、図６はパネルを土台に差し込む時の概要を示す斜視図を示す。符号２７は土台、３０（ａ、ｂ、ｃ）は間柱用ほぞ穴、３４ａは第１柱のほぞ穴、３４ｂは第２柱のほぞ穴、３６はダボ（表側の壁板用）、３８はダボ（裏側の壁板用）、４０は込栓穴をそれぞれ示す。図６においては、パネル３が傷つかないように事前処置した後ワイヤーロープを介して、レッカー車（図示略）で吊り下げながら、長ほぞ差し込み栓８ａが間柱用ほぞ穴３０ａに、長ほぞ差し込み栓８ｄが間柱用ほぞ穴３０ｂに、長ほぞ差し込み栓８ｆが間柱用ほぞ穴３０ｃにそれぞれ差し込まれるように、パネル３を土台２６の所定の位置上に保持させる。さらに、ダボ穴（図示略）は土台２７の縦軸を中心として左右の対称位置に刻設されている。この土台２７に刻設されたダボ穴に差し込まれたダボ３６と３８の上半分が突設しており、ダボ３６は表側の壁板１２のダボ穴（図示略）に、またダボ３８は裏側の壁板１４に刻設されたそれぞれのダボ穴（図示略）に嵌合させながら、パネル３を矢印の方向にゆっくりと降下させて、パネル３を土台２７上に載置し仕口とする。
【００３４】
図７はパネルの両側に両柱を組み合わせ中の斜視図を示す。パネル３を土台２７の所定の位置上に保持させた後、パネル３の両側面側に位置する間柱６ａ、６ｃと当接する側に第１柱３２ａと第２柱３２ｂを同時に取付けるようになっている。このとき間柱６ａ、６ｃと当接する側の第１柱３２ａと第２柱３２ｂ側には、間柱６ａ、６ｃの幅に相当する溝４２が刻設してある。なお、主柱である第１柱３２ａと第２柱３２ｂを溝４２に沿って降下させる前に第１柱３２ａのほぞ穴３４ａと第２柱３２ｂのほぞ穴３４ｂの上に、柱受け板４６（４６ａ、４６ｂ）を載置しておき、第１柱３２ａの長ほぞ差し込み栓４４ａが第１柱３２ａのほぞ穴３４ａに、また第２柱３２ｂの長ほぞ差し込み栓４４ｂが第１柱３２ａのほぞ穴３４ｂにそれぞれ嵌入しないようにしておくのである。ここで、符号４８は込栓穴を示す。
【００３５】
図８は両柱の上部に梁を渡して組み立てた斜視図であり、第１の柱３２ａと第１の柱３２ｂを溝４２に沿って最下部まで降下させた後、第１の柱３２ａの長ほぞ差し込み栓４４ａが柱受け板４６ａの上に載置したまま第１の柱３２ａの上方部のみを間柱６ａから離間する方向に傾転させた状態で、梁５０の両側にある長ほぞ差し込み栓（図示略）を第１の柱３２ａと第２の柱３２ｂのほぞ穴５４（図７に５４ａ、５４ｂで示す）にそれぞれ嵌入させた後、第１の柱３２ａの溝４２が間柱６ａに当接するまで第１の柱３２ａの外側から木槌などで第１の柱３２ａと第２の柱３２ｂが平行になるまで打ち付けて第１の柱３２ａを間柱６ａに固定させるのである。
【００３６】
図９は込栓を込栓穴に打ち込む時の斜視図であり、第１の柱３２ａと第２の柱３２ｂ間に梁５０を張架させた後、柱受け板４６（４６ａ、４６ｂ）を抜き取るとともに、第１の柱の長ほぞ差し込み栓４４ａを第１の柱のほぞ穴３４ａに、また第２の柱の長ほぞ差し込み栓４４ｂを第１の柱のほぞ穴３４ｂにそれぞれ嵌入させてパネル３の組み込みを完了する。図９は込栓を込栓穴に打ち込む時の斜視図であり、間柱用ほぞ穴３０に長ほぞ差し込み栓８を嵌入してパネル３を土台２７と梁５０間に組み込んだ後に、込栓穴４８に込栓５２を打ち込んで組み立てを完了する。
【００３７】
図１０はパネルに幅の狭い壁板を用いた場合の一部切断正面図であり、幅の狭い同一寸法の壁板１２を使用して相隣接する壁板１２を接続するのにダボ２６を使用することになる。図１０に示すようにダボ２６の取付け位置は、パネルの上下方向に千鳥型となるようにすると相隣接する幅の狭い壁板１２に埋め込まれたダボ２６同士が干渉することがなく、壁板１２同士をダボ２６で強力に接続することができる。
【００３８】
図１１はパネルに幅の広い壁板を用いた場合の一部切断正面図であり、幅の広い壁板１２を使用して相隣接する壁板１２を接続する際に、４５×１５ｍｍの寸法のダボ２６を用いても、お互いに干渉することなく、一定の軸線上に配列した状態でダボ２６を使用することができる。このため、ダボ２６の取付け位置を図１１に示すように、同一軸線上に一列に配列した状態で幅の広い壁板１２同士をダボ２６で強力に接続することができる。
【００３９】
次に、パネル３を木造建築物の壁体構造の一部として使用する場合、パネル３の室内側と外壁側に新たな追加の仕上げを行う場合の例を、図１２〜図１４を用いて説明を行う。
【００４０】
図１２はパネルの室外側にのみ外壁材を張った場合の平面図であり、室内側は壁板１４のままであり、改めて室内側に内壁材を使用しない場合の例である。従って、ここでは室外側に外壁材を使用する場合は、表側の壁板１２の表面部の縦方向に離間して胴縁６０を打ち付け、胴縁６０の上に後述する外壁材５８を取付けるのである。因みに、内室側は裏側の壁板１４の表面が剥き出た状態で仕上げ材として使用するものであり、表面に光沢のある状態を呈している。
【００４１】
図１３はパネルを両側から覆うように外壁材と内壁材とをそれぞれ張った場合の平面図であり、室内側に位置する裏側の壁板１４を下地材として使用するようにし、壁板１４の表面部上に胴縁６０を取付けないで直接内壁材５６を取付けた（直付け）ものである。一方、室外側に位置する表側の壁板１２の表面部上には離間した縦方向位置に胴縁６０を取付けた後、外壁材５８を胴縁６０の上から取付けたものであり、内壁材５６と外壁材５８の両方で第１の柱３２ａと第２の柱３２ｂの表面を隠せるように取付けてある。
【００４２】
図１４は両柱を外壁材で覆うように取付けるとともに、室内側に位置する両柱は見えるように内壁材を取付けた場合の平面図であり、室外側に位置する表側の壁板１２の表面部の離間した縦方向位置に胴縁６０を打ち付け、胴縁６０の上に外側壁板５８を取付けるのである。また、室内側は化粧板５６を下地材として使用する裏側の壁板１４の上面に直接取付けたものであり、第１の柱３２ａと第２の柱３２ｂの表面を露出するように第１の柱３２ａと第２の柱３２ｂ間に取付けてある。
【００４３】
図１２〜図１４に示した外壁材および内壁材として一般的に使用されるものとしては、次のようなものがある。
「外壁材」
（１）左官仕上げによるラスボード下地モルタル塗り
（２）塗装仕上げによるサイディングボード
（３）キシラデコール塗りによる杉板
「内壁材」
（１）石膏ボード下地塗り仕上げ
（２）石膏ボード下地クロス貼り
【００４４】
図１５はパネルによる木造耐力壁を用いて建築する木造家屋を示す。なお、符号１００は、パネルによる木造耐力壁を採用した木造家屋である。図１６は各種試験体の正面図であり、試験体を用いた試験結果を表１に示す。
【００４５】
【表１】
0003834662.tif 000002
【００４６】
表１は試験体を用いた試験結果を示し、表１の試験体を図１６に示す。図１６では、表１に示すような種類の試験体を作りパネル３による木造耐力壁の耐力性能の実験を行った。試験体ＮＯ．１は、１／１５ｒａｄに達しても荷重は一定の上昇を見せるが、初期剛性は他の試験体と比べて極めて小さく全般に剛性は非常に低い。試験体ＮＯ．２とＮＯ．３は、ダボを使用しており、初期剛性はダボの本数が多いＮＯ．３がＮＯ．２よりも比較的高い値を示している。いずれも１／３０ｒａｄ前後で同程度の最大荷重に達し、１／１５ｒａｄに達するまでに最大荷重８０％を下回った。さらに、ダボと間柱と壁板３を使用したＮＯ．４が剛性もあり、高い壁倍率が得られた。
【００４７】
表１に示すように、本発明のパネル３を使用した木造家屋では、次のような実験結果が得られた。すなわち、
（１）本実験結果では、内側及び外側の壁板同士および軸組とをダボで繋いだことにより、試験体の壁倍率は１．９４となり、規定値（０．６）の３倍以上の効果が得られた。なお、壁倍率とは、地震力や風圧力のような水平力を耐力壁がどのくらい負担できるかを示すもので、ある特定の剪断変形時に単位長さあたり一定の剪断力に耐えられる耐力壁を倍率１と定める。
【００４８】
（２）本実験結果では、柱のそばに間柱を当接した形で配設するとともにダボによる効果が非常に大きく、壁倍率は２．２１と上記実験結果（１）より壁倍率が高くなった。
【００４９】
（３）入手が容易な杉板の有効利用が図れるとともに、工場で予めパネル化による作業が可能となり、木造建築費用のコストが低くできるとともに、大幅な工期の短縮ができた。
【００５０】
（４）最終変形角１／１５ｒａｄに達しても最大荷重の８０％を下回ることはなく、非常に粘り強い工法であることが実証できた。
【実施例２】
【００５１】
図１７から図２０まではリフォームする場合の内側および外側の壁板を固定する時の製作手順を示した図である。
【００５２】
図１７は本発明の第２の実施の形態に係るリフォーム前の主体となる外枠の斜視図であり、新築の木造建築物の場合には予め工場でパネル３を製造して建築現場で組み立てることができるが、リフォームする場合のパネル３では、組み立てそのものが建築現場となる。すでに建築現場には、図１７に示すような構造体がある。この口型形状を呈するリフォーム構造体８０は、梁７０、柱７２、土台７４とで構成され、さらに柱７２は第１の柱７２ａと第２の柱７２ｂとで構成される。符合７６は込栓を示す。
【００５３】
図１８は外枠内に間柱を取付けた場合の斜視図である。リフォーム構造体８０の内周面には、平坦な表面を有する３本の間柱７８（７８ａ、７８ｂ、７８ｃ）のうち、２本の間柱７８ａ、７８ｃを平坦な表面を有する第１柱７２ａと第２柱７２ｂの内周面側に固着させるとともに、２本の間柱７８ａ、７８ｃの等分割された中間点位置に間柱７８ｂが固着してある。口型形状を呈するリフォーム構造体８０を縦方向に等分布する３本の間柱７８（７８ａ、７８ｂ、７８ｃ）の梁７０の内周面側と土台７４の内周面側にはそれぞれ断熱材の受材８２（８２ａ、８２ｂ、８２ｃ、８２ｄ）が固着されている。
【００５４】
図１９はリフォーム用の表側の壁板を繋ぎ合わせ中の斜視図であり、間柱７８（７８ａ、７８ｂ、７８ｃ）と第１柱７２ａと第２柱７２ｂの幅寸法の大小では、実施例１と同様に柱７２＞間柱７８となっているため、恣意的に段差を生じさせている。この段差寸法は、表側の壁板８４の厚みの約３０ｍｍとなっているためであり、リフォーム構造体８０に表側の壁板８４を取付けた場合、第１柱の７２ａと第２の柱の７２ｂの表面側と表側の壁板８４の表面とが面一となるように取付けるためである。
【００５５】
土台７４と第１の壁板８４ａ間とは図示を省略した複数個のダボ８６で接続されている。第１の壁板８４ａと第２の壁板８４ｂ〜最後の壁板８４ｎを逐次ダボ８６を介して接続した後、各壁板８４は間柱７８に複数（各壁板８４毎に上下２本）のビス８８で取付けられる。但し、リフォームの場合は、最後の壁板８４ｎとその一枚前の壁板８４（ｎ−１）とはダボ（図示略）を介さないで、最後の壁板８４ｎを直接ビス８８のみで間柱７８（７８ａ、７８ｂ、７８ｃ）に取付けるのである。
【００５６】
図２０は裏側の壁板を繋ぎ合わせ中の斜視図であり、表側の壁板８４を取付けた後に裏側の壁板９０を取付ける前に断熱材９２を装着する。前述した表側の壁板８４を取付ける場合の工法と同様に裏側の壁板９０も取付けるのである。土台７４と第１の壁板９０ａ間とは図示を省略した複数個のダボ８７で接続されている。第１の壁板９０ａと第２の壁板９０ｂ〜最後の壁板９０ｎを逐次ダボ８７を介して接続した後、各壁板９０は間柱７８に複数（各壁板９０毎に上下２本）のビス８８で取付けられる。但し、リフォームの場合は、最後の壁板９０ｎとその一枚前の壁板９０とはダボ（図示略）を介さないで、最後の壁板９０ｎを直接ビス８８のみで間柱７８（７８ａ、７８ｂ、７８ｃ）に取付けるのである。
【００５７】
図２１はパネルの取付けを完了した斜視図であり、リフォームする場合のパネル９４を用いたパネル９４の取付け構造である。図２０に示す工事が完了すると、新築木造建築と同様に図１２〜図１４に示した外側の壁板および内側の壁板が使用できる。
【図面の簡単な説明】
【００５８】
【図１】本発明の第１の実施の形態に係る複数の間柱を型枠材上に配列固定した概要の斜視図である。
【図２】図２は本発明の実施の形態に係る表側の壁板を繋ぎ合わせ中の斜視図である。
【図３】断熱材を装着する場合の斜視図である。
【図４】本発明の実施の形態に係る裏側の壁板を繋ぎ合わせ中の斜視図。
【図５】パネルの斜視図である。
【図６】パネルを土台に差し込む時の概要を示す斜視図である。
【図７】パネルの両側に両柱を組み合わせ中の斜視図である。
【図８】両柱の上部に梁を渡して組み立てた斜視図である。
【図９】込栓を込栓穴に打ち込む時の斜視図である。
【図１０】パネルに幅の狭い壁板を用いた場合の一部切断正面図である。
【図１１】パネルに幅の広い壁板を用いた場合の一部切断正面図である。
【図１２】パネルの室外側にのみ外壁材板を張った場合の平面図である。
【図１３】パネルの両柱を両側から覆うように外壁材と内壁材を張った場合の平面図である。
【図１４】両柱を外壁材で覆うように取付けるとともに、室内側に位置する両柱は見えるように内壁材を取付けた場合の平面図である。
【図１５】パネルを用いて建築する木造家屋である。
【図１６】各種試験体の正面図である。
【図１７】本発明の第２の実施の形態に係るリフォーム前の主体となる外枠の斜視図である。
【図１８】外枠内に間柱を取付けた場合の斜視図である。
【図１９】リフォーム用の表側の壁板を繋ぎ合わせ中の斜視図である。
【図２０】裏側の壁板を繋ぎ合わせ中の斜視図である。
【図２１】パネルの取付けを完了した斜視図である。
【符号の説明】
【００５９】
１      型枠材
２（ａ、ｂ）  立板
３      パネル
４（ａ、ｂ、ｃ、ｄ）    断熱材の受材
５      パネルの骨組
６（ａ、ｂ、ｃ）  間柱
７（ａ、ｂ）  水平受け板
８（ａ、ｂ、ｃ、ｄ、ｅ、ｆ）    長ほぞ差し込み栓
１０（ａ、ｂ、ｃ、ｄ、ｅ、ｆ）  万力
１２    表側の壁板
１２ａ  第１壁板
１２ｂ  第２壁板
１２ｎ  最後の壁板
１４    裏側の壁板
１４ａ  第１の壁板
１４ｂ  第２の壁板
１４ｎ  最後の壁板
１６、１７    ビス
１８、２６    ダボ
２０（ａ、ｂ、ｃ、ｄ、ｅ、ｆ）  枕木
２２    断熱材
２４    凹部
２７    土台
３０（ａ、ｂ、ｃ）  間柱用ほぞ穴
３２    柱
３２ａ  第１の柱
３２ｂ  第２の柱
３４ａ  第１の柱のほぞ穴
３４ｂ  第２の柱のほぞ穴
３６    ダボ（表側の壁板）
３８    ダボ（裏側の壁板）
４０    込柱穴
４２    溝
４４ａ  第１柱の長ほぞ差し込み栓
４４ｂ  第２柱の長ほぞ差し込み栓
４６（ａ、ｂ）  柱受け板
４８    込栓穴
５０    梁
５２    込栓
５４（ａ、ｂ）  ほぞ穴（梁用）
５６    内壁材
５８    外壁材
６０    胴縁
７０    梁
７２    柱
７２ａ  第１の柱
７２ｂ  第２の柱
７４    土台
７６    込栓
７８（ａ、ｂ、ｃ）  間柱
８０    リフォーム構造体
８２（ａ、ｂ、ｃ）  断熱材の受板
８４    表側の壁板
８４ａ  第１の壁板
８４ｂ  第２の壁板
８４ｎ  最後の壁板
８６、８７  ダボ
８８    ビス
９０    裏側の壁板
９０ａ  第１の壁板
９０ｂ  第２の壁板
９０ｎ  最後の壁板
９２    断熱材
９４    パネル
１００  パネルを採用した木造家屋
【図１】
0003834662.tif 000003
【図２】
0003834662.tif 000004
【図３】
0003834662.tif 000005
【図４】
0003834662.tif 000006
【図５】
0003834662.tif 000007
【図６】
0003834662.tif 000008
【図７】
0003834662.tif 000009
【図８】
0003834662.tif 000010
【図９】
0003834662.tif 000011
【図１０】
0003834662.tif 000012
【図１１】
0003834662.tif 000013
【図１２】
0003834662.tif 000014
【図１３】
0003834662.tif 000015
【図１４】
0003834662.tif 000016
【図１５】
0003834662.tif 000017
【図１６】
0003834662.tif 000018
【図１７】
0003834662.tif 000019
【図１８】
0003834662.tif 000020
【図１９】
0003834662.tif 000021
【図２０】
0003834662.tif 000022
【図２１】
0003834662.tif 000023